(57)【特許請求の範囲】
【請求項１】
基板と、該基板の下面に形成された凹溝と、該凹溝内に収容された１本の温水パイプと、該温水パイプの少なくとも一端に設けられた接続部材とを備えている温水床暖房パネルであって、
上記凹溝は、
凹溝本体と、
上記凹溝本体の少なくとも一端に設けられた分岐部と、
一端が上記分岐部に分岐して接続されかつ互いに同じ長さである複数の選択凹溝と、
上記選択凹溝の他端にそれぞれ設けられた接続部材収容部とを備え、
上記温水パイプの接続部材が設けられている側の端部は、上記分岐部を介して上記複数の選択凹溝のうちのいずれか１つの選択凹溝に収容され、
上記接続部材を収容する上記選択凹溝の他端の接続部材収容部が選択可能であることを特徴とする温水床暖房パネル。
【請求項２】
請求項１の温水床暖房パネルにおいて、
上記凹溝は、
上記基板の長辺方向端部近傍で短辺方向中央部に位置するように設けられた分岐部と、
上記分岐部から基板の短辺方向両側に向かって延びる２つの上記選択凹溝と、
上記基板の短辺方向両側部に設けられた２つの接続部材収容部とを備えていることを特徴とする温水床暖房パネル。
【請求項３】
基板と、該基板の下面に形成された凹溝と、該凹溝内に収容された１本の温水パイプと、該温水パイプの少なくとも一端に設けられた接続部材とを備えている温水床暖房パネルであって、
上記凹溝は、
凹溝本体と、
上記凹溝本体の少なくとも一端に設けられた分岐部と、
平面視で２つのループ溝同士を互いに接するように連結した８の字状に形成され、両ループ溝の連結部に上記分岐部が接続された選択凹溝と、
上記分岐部を始点としかつ上記選択凹溝に沿って上記分岐部からの距離が一定で途中で交差しない４つの経路を設定したときに、該経路の終点となる４箇所に設けられた接続部材収容部とを備え、
上記温水パイプの接続部材が設けられている側の端部は、上記分岐部を介して上記選択凹溝に上記経路のいずれか１つに沿うように収容され、
上記接続部材を収容する上記接続部材収容部が選択可能であることを特徴とする温水床暖房パネル。
【請求項４】
請求項３の温水床暖房パネルにおいて、
上記分岐部が基板の長辺方向一端部近傍で短辺方向中央部に設けられ、
上記選択凹溝の２つのループ溝にそれぞれ２つずつ設けられた上記接続部材収容部が、上記基板の短辺方向両側部に設けられていることを特徴とする温水床暖房パネル。
【請求項５】
請求項１から４のいずれか１つの温水床暖房パネルにおいて、
上記基板の裏面における上記分岐部、選択凹溝、接続部材収容部及びこれらの周囲を除く部分に少なくとも金属層を有する裏面材が予め設けられており、
施工の際に、上記基板の裏面における予め上記裏面材が設けられていない部分であって上記接続部材収容部を除く部分に、少なくとも金属層を有する裏面材が後貼りされるように構成されていることを特徴とする温水床暖房パネル。
【発明の詳細な説明】
【技術分野】
【０００１】
本発明は、温水床暖房パネルに関し、特に、温水パイプの端部を収容する凹溝の構造に係るものである。
【背景技術】
【０００２】
従来より、温水床暖房パネルとして、例えば、特許文献１に示すように、表面仕上げ材が一体化されたものが知られている。この温水床暖房パネルは、基板下面に温水パイプが収容される凹溝が形成され、この基板下面に、凹溝内の温水パネルを所定の位置で引き出し可能とする孔や切り欠き等の開口部が予め形成された裏面材が接着されている。この床暖房パネルでは、温水パイプを床上面に近く配置することができるため、床上面に熱が伝わり易く、熱効率も良い。さらに、裏面材に予め開口部を設けているため、この開口部から凹溝内の温水パイプを引き出すことができる。このため、温水パイプの接続や、破損や緩みの補修の際には、この開口部から床下に引き出された温水パイプを用いることで、床の施工が全て終了した後に温水パイプの接続作業を行うことができるとともに、パネルを剥がさずに温水パイプの接続部分を補修することができるようになっている。
【０００３】
また、上記特許文献１の温水床暖房パネルでは、基板裏面に複数の長辺方向溝と短辺方向溝とが形成されているため、温水パイプが部分的に配置されたパネルも作ることができ、所定の床暖房範囲だけに部分的に温水パイプを容易に通すことができる。
【０００４】
そして、上記特許文献１の温水床暖房パネルは、上記開口部を覆うシート材を切除することにより、溝部における任意の位置で温水パイプの端部を引き出すことができる。引き出した温水パイプは、床下地材に設けた貫通孔に通され、床下で温水供給装置から温水を供給する往路パイプと放熱後の温水を温水供給装置に戻す復路パイプとに両端部が接続される。
【０００５】
一方、特許文献２に示す温水床暖房パネルでは、基板上面に放熱板が張り合わされていて、基板の端の部分に放熱板の一部を残すようにしてコ字状またはＬ字状の切り欠き部を形成し、一部を残した放熱板を支点として切り欠き部を開閉自在に構成するとともに、温水パイプと往路パイプまたは復路パイプとを切り欠き部内において、エルボやソケット等の接続部材を用いて接続するように構成している。
【０００６】
上記特許文献２の温水床暖房パネルでは、切り欠き部を開いて温水パイプを露出させて接続部材と接続するため接続作業がしやすく、また、切り欠き部の大きさを任意に設定することにより、基板の端から余裕を持たせることができるので、温水床暖房パネルを壁際まで施工しても配管の接続作業を容易に行うことができる。
【特許文献１】特開平１１−３０４１６９号公報
【特許文献２】特開平８−３３８６３９号公報
【発明の開示】
【発明が解決しようとする課題】
【０００７】
ところで、上記特許文献１のような温水床暖房パネルでは、基板の凹溝から引き出した温水パイプを直角に折り曲げて往路パイプまたは復路パイプに接続するため、施工の際に、床下地にあけた貫通孔にパイプがこすられて傷ついたり、温水パイプが変形してしまう虞がある。また、温水パイプが凹溝から引き出された部分の基板は加熱されないため、床暖房パネルにおいて暖まりにくい部分がでてしまい、暖房効率が低下する。
【０００８】
そこで、上記特許文献２のように、エルボ等の接続部材を用いて温水パイプと往路パイプまたは復路パイプとを接続することで、温水パイプの傷や変形を防ぐことができるとともに、温水パイプを凹溝から引き出さずに、接続部材によって往路パイプ等と接続するため、暖房効率の低下を抑制することができる。
【０００９】
しかし、上記特許文献２の温水床暖房パネルでは、基板に設けられた凹溝によって温水パネルの端部の収納位置が決まっているため、床下地材に貫通孔を設ける位置も定まってしまう。そうすると、この貫通孔を設ける位置が、根太や大引き等の床下構造材の配設されている位置と一致した場合、床下地材に貫通孔を設けることができないため、温水床暖房パネルの設置割付を再検討する必要があり、手間がかかるという問題がある。
【００１０】
本発明は、かかる点に鑑みてなされたものであり、その目的とするところは、床下地材に配設されている床下構造材の位置によって床暖房パネルの設置割付を再検討する等の手間をかけなくても、床暖房パネルを容易に施工することができるようにすることにある。
【課題を解決するための手段】
【００１１】
上記目的を達成するために、第１の発明に係る温水床暖房パネルは、基板と、該基板の下面に形成された凹溝と、該凹溝内に収容された１本の温水パイプと、該温水パイプの少なくとも一端に設けられた接続部材とを備えている温水床暖房パネルであって、上記凹溝は、凹溝本体と、上記凹溝本体の少なくとも一端に設けられた分岐部と、一端が上記分岐部に分岐して接続されかつ互いに同じ長さである複数の選択凹溝と、上記選択凹溝の他端にそれぞれ設けられた接続部材収容部とを備え、上記温水パイプの接続部材が設けられている側の端部は、上記分岐部を介して上記複数の選択凹溝のうちのいずれか１つの選択凹溝に収容され、上記接続部材を収容する上記選択凹溝の他端の接続部材収容部が選択可能である。
【００１２】
上記の構成によると、温水パイプは凹溝本体に収容され、少なくとも分岐部が設けられている側の端部は、分岐部を介して複数の選択凹溝のうちのいずれか１つに収容されている。温水パイプの端部に設けられた接続部材は、温水パイプが収容される選択凹溝の他端の接続部材収容部に収容される。床暖房パネルを床下地材に施工する際に、接続部材が収容されている接続部材収容部に対応する床下地材の箇所に貫通孔を形成し、この貫通孔に温水供給装置から温水を供給する往路パイプまたは放熱後の温水を温水供給装置に戻す復路パイプを通し、これらを接続部材に接続することで、温水パイプと往路パイプまたは復路パイプとを接続する。
【００１３】
ここで、貫通孔を設けようとする床下地材の箇所に根太や大引き等の床下構造材が配設されている場合には、温水パイプの端部を選択凹溝から分岐部まで引きだし、異なる選択凹溝に収容し直す。そして、この選択凹溝の接続部材収容部に対応する床下地材の箇所に貫通孔を設ける。
【００１４】
第２の発明に係る温水床暖房パネルは、上記第１の温水床暖房パネルにおいて、上記凹溝は、上記基板の長辺方向端部近傍で短辺方向中央部に位置するように設けられた分岐部と、上記分岐部から基板の短辺方向両側に向かって延びる２つの上記選択凹溝と、上記基板の短辺方向両側部に設けられた２つの接続部材収容部とを備えている。
【００１５】
上記の構成によると、温水パイプの端部は分岐部を介して２つの選択凹溝のうちのいずれか一方に収容されている。温水パイプが収容されている方の選択凹溝の接続部材収容部に対応する床下地材の箇所に根太等の床下構造材が配設されている場合は、温水パイプの端部を選択凹溝から分岐部まで引きだし、他方の選択凹溝に収容し直す。２つの選択凹溝は、基板の短辺方向に互いに離間した位置に設けられているので、貫通孔を設けようとする基板の箇所に床下構造材が配設されている場合には、貫通孔を設ける位置を基板の短辺方向にずらすことができる。
【００１６】
第３の発明に係る温水床暖房パネルは、基板と、該基板の下面に形成された凹溝と、該凹溝内に収容された１本の温水パイプと、該温水パイプの少なくとも一端に設けられた接続部材とを備えている温水床暖房パネルであって、上記凹溝は、凹溝本体と、上記凹溝本体の少なくとも一端に設けられた分岐部と、平面視で２つのループ溝同士を互いに接するように連結した８の字状に形成され、両ループ溝の連結部に上記分岐部が接続された選択凹溝と、上記分岐部を始点としかつ上記選択凹溝に沿って上記分岐部からの距離が一定で途中で交差しない４つの経路を設定したときに、該経路の終点となる４箇所に設けられた接続部材収容部とを備え、上記温水パイプの接続部材が設けられている側の端部は、上記分岐部を介して上記選択凹溝に上記経路のいずれか１つに沿うように収容され、上記接続部材を収容する上記接続部材収容部が選択可能である。
【００１７】
上記の構成によると、温水パイプは凹溝本体に収容され、少なくとも分岐部が設けられている側の端部は、分岐部を介して選択凹溝にいずれかの経路に沿って収容されている。温水パイプの端部に設けられた接続部材は、選択凹溝に設けられた４つの接続部材収容部のうち、上記経路の終点に設けられた接続部材収容部に収容される。床暖房パネルを床下地材に施工する際に、接続部材が収容されている接続部材収容部に対応する床下地材の箇所に貫通孔を形成し、この貫通孔に温水供給装置から温水を供給する往路パイプまたは放熱後の温水を温水供給装置に戻す復路パイプを通し、これらを接続部材に接続することで、温水パイプと往路パイプまたは復路パイプとを接続する。
【００１８】
接続部材が収容されている接続部材収容部に対応する床下地材の箇所に根太や大引き等の床下構造材が配設されている場合には、温水パイプの端部を選択凹溝から分岐部まで引きだし、床下地材において床下構造材が配設されていない箇所に対応する接続部材収容部に接続部材を収容するように、温水パイプを選択凹溝内に収容し直す。このように、温水パイプを選択凹溝に収容する経路を変えることにより、異なる位置に形成された接続部材収容部のいずれかに接続部材が収容される。
【００１９】
そして、いずれの接続部材収容部に接続部材が収容される場合でも、８の字状に形成された選択凹溝に温水パイプが収容されて、選択凹溝の途中に設けられた接続部材収容部に接続部材が収容されるので、選択凹溝において温水パイプが収容されていない部分が少ない。
【００２０】
第４の発明に係る温水床暖房パネルは、上記第３の発明に係る温水床暖房パネルにおいて、上記分岐部が基板の長辺方向一端部近傍で短辺方向中央部に設けられ、上記選択凹溝の２つのループ溝にそれぞれ２つずつ設けられた上記接続部材収容部が、上記基板の短辺方向両側部に設けられている。
【００２１】
上記の構成によると、温水パイプの端部の接続部材は、分岐部を介して４つの接続部材収容部のうちのいずれかに収容されている。接続部材が収容されている接続部材収容部に対応する床下地材の箇所に根太等の床下構造材が配設されている場合は、温水パイプの端部を選択凹溝から分岐部まで引きだし、異なる接続部材収容部に接続部材を収容し直す。４つの接続部材収容部は、選択凹溝の各ループ溝における基板の短辺方向両側部で長辺方向に互いに離間した位置にそれぞれ設けられているので、貫通孔を設けようとする基板の箇所に床下構造材が配設されている場合には、貫通孔を設ける位置を基板の短辺方向または長辺方向にずらすことができる。
【００２２】
ここで、選択凹溝に設けられた接続部材収容部のうち、一方のループ溝の凹溝本体側に設けられている接続部材収容部を第１収容部、一方のループ溝の凹溝本体と離間する側に設けられている接続部材収容部を第２収容部、他方のループ溝の凹溝本体と離間する側に設けられている接続部材収容部を第３収容部、他方のループ溝の凹溝本体側に設けられている接続部材収容部を第４収容部とする。
【００２３】
そして、分岐部を介して選択凹溝に収容される温水パイプの経路としては、接続部材を収容する接続部材収容部の箇所によって、以下の４つがある。
【００２４】
すなわち、接続部材を第１収容部に収容する場合、温水パイプの端部が、分岐部から折り返されるようにして第４収容部側に延び、第３収容部を経て第２収容部を通り、第１収容部まで到達する第１経路。
【００２５】
接続部材を第２収容部に収容する場合、温水パイプの端部が、分岐部から折り返されるようにして第４収容部側に延び、第３収容部を経て選択凹溝の連結部を通り、第１収容部を通過して第２収容部まで到達する第２経路。
【００２６】
次に、接続部材を第３収容部に収容する場合、温水パイプの端部が、分岐部から折り返されるようにして第１収容部側に延び、第２収容部を経て選択凹溝の連結部を通り、第４収容部を通過して第３収容部まで到達する第３経路。
【００２７】
最後に、接続部材が第４収容部に収容される場合、温水パイプの端部が、分岐部から折り返されるようにして第１収容部側に延び、第２収容部を経て第３収容部を通り、第４収容部まで到達する第４経路。
【００２８】
第５の発明に係る温水床暖房パネルは、上記第１から第４のいずれか１つの温水床暖房パネルにおいて、上記基板の裏面における上記分岐部、選択凹溝、接続部材収容部及びこれらの周囲を除く部分に少なくとも金属層を有する裏面材が予め設けられており、施工の際に、上記基板の裏面における予め上記裏面材が設けられていない部分であって上記接続部材収容部を除く部分に、少なくとも金属層を有する裏面材が後貼りされるように構成されている。
【００２９】
上記の構成によると、基板の裏面における分岐部から凹溝本体が設けられている側が裏面材で予め覆われており、分岐部から選択凹溝が設けられている側は裏面材で覆われていない。そして、床下地材において床下構造材が配設されていない箇所に対応する接続部材収容部に接続部材を収容し、床暖房パネルを施工する際に、基板の裏面における分岐部から選択凹溝が設けられている側を裏面材で覆う。こうすることによって、基板の裏面全体が裏面材で覆われ、温水パイプが凹溝から落下するのを防ぐとともに、この裏面材が少なくとも金属層を有しているため、基板の全面に亘って温水パイプの熱が均熱される。
【発明の効果】
【００３０】
上記第１の発明によれば、温水パイプを収容する凹溝に分岐部から分岐する複数の選択凹溝を設け、各選択凹溝の他端に接続部材収容部を設けたため、接続部材が収容されている接続部材収容部に対応する床下地材の箇所に床下構造材が配設されている場合でも、他の選択凹溝に温水パイプを収容し直して、接続部材を異なる位置の接続部材収容部に収容することができるので、床下構造材が配設されていない床下地材の箇所に貫通孔を設けて、接続部材に往路パイプ等を接続することができる。
【００３１】
すなわち、床下地材に貫通孔を設けることができる位置にある接続部材収容部を選択可能であるので、床下地材に配設されている床下構造材の位置によって床暖房パネルの設置割付を再検討する等の手間をかけなくても、床暖房パネルを容易に施工することができる。
【００３２】
上記第２の発明によれば、接続部材収容部が基板の短辺方向両側部に設けられているため、一側部の接続部材収容部に対応する床下地材の箇所に床下構造材が配設されていても、この接続部材収容部と離間した他側部の接続部材収容部に接続部材を収容することで、床下構造材が配設されていない床下地材に貫通孔を設けることができ、床暖房パネルを容易に施工することができる。
【００３３】
また、分岐部を基板の長辺方向端部近傍に設けているため、２つの選択凹溝のうち、いずれの選択凹溝に温水パイプの端部を収容しても、基板で温水パイプが通らない部分が少ないので、暖房効率の低下を抑制することができる。
【００３４】
上記第３の発明によれば、温水パイプを収容する凹溝に分岐部から連続する選択凹溝を設け、この選択凹溝に４つの接続部材収容部を設けた。このため、接続部材が収容されている接続部材収容部に対応する床下地材の箇所に床下構造材が配設されている場合でも、選択凹溝における温水パイプの端部の収容形態を変更して収容し直し、接続部材を異なる位置の接続部材収容部に収容することができるので、床下構造材が配設されていない床下地材の箇所に貫通孔を設けて、接続部材に往路パイプ等を接続することができる。
【００３５】
すなわち、床下地材に貫通孔を設けることができる位置にある接続部材収容部を選択可能であるので、床下地材に配設されている床下構造材の位置によって床暖房パネルの設置割付を再検討する等の手間をかけなくても、床暖房パネルを容易に施工することができる。
【００３６】
また、分岐部から連続する選択凹溝に接続部材収容部を４つ設けたので、種々の床下構造材の配置に対して対応しやすく、床下構造材が配設されていない床下地材の箇所に対応する接続部材収容部の選択を可能とすることができる。
【００３７】
また、温水パイプの端部を８の字状の選択凹溝に収容するので、いずれの接続部材収容部に接続部材を収容しても、基板で温水パイプが通らない部分が少ないので、暖房効率の低下を抑制することができる。
【００３８】
上記第４の発明によれば、接続部材収容部が基板の短辺方向に離間した位置と、長辺方向に離間した位置との４箇所に設けられているため、基板の短辺方向または長辺方向に延びる床下構造材が配設されていても、いずれかの接続部材収容部に接続部材を収容して、床下構造材が配設されていない床下地材に貫通孔を設けることができ、床暖房パネルの施工をより一層容易にすることができる。
【００３９】
上記第５の発明によれば、分岐部、選択凹溝、接続部材収容部及びこれらの周囲には予め裏面材が設けられていないので、選択凹溝から温水パイプを引きだして床下構造材が配設されていない接続部材収容部に接続部材を収容し直すことができる。そして、適切な位置に温水パイプ及び接続部材を収容した後に、分岐部、選択凹溝、接続部材収容部及びこれらの周囲に裏面材を取り付けることで、基板全面が裏面材で覆われることになり、この裏面材が金属層を有するため、基板全面に亘って温水パイプの熱が均熱され、熱効率がよく、熱欠損部分の少ない温水床暖房パネルを提供することができる。
【発明を実施するための最良の形態】
【００４０】
以下、本発明の実施形態を図面に基づいて詳細に説明する。
【００４１】
《発明の実施形態１》
図１〜図４は本発明の実施形態１に係る温水床暖房パネルＰを示し、２枚の床暖房パネルＰ１，Ｐ２が互いの温水パイプ１３を連結してなる。これらの床暖房パネルＰは、合板、ＭＤＦ等の木質材料からなる基板１を有し、この基板１の上面に突板、ＷＰＣ、化粧紙等からなる表面化粧材２が接着されている。
【００４２】
上記基板１の下面には凹溝９が形成されている。この凹溝９は、開口側半部が断面正方形状で、かつ奥側半部が断面半円形状のものである。この凹溝９は、連続する１本の温水パイプ１３を収容するためのもので、図２に示すように、床暖房パネルＰの平面視全域に亘って蛇行するように形成されている。
【００４３】
具体的には、上記凹溝９は、各床暖房パネルＰ１，Ｐ２の長辺方向一端部近傍（図２の上側）で短辺方向中央部に分岐部１０をそれぞれ有している。そして各分岐部１０から連続する１本の凹溝本体１１が蛇行して基板１の全域に亘ってそれぞれ形成されている。一方の床暖房パネルＰ１（図２の右側）では、短辺方向における他方の床暖房パネルＰ２側（図２の左側）端部で長辺方向一端（図２の上側）寄りに凹溝９の他端が形成されている。一方、他方の床暖房パネルＰ２では、分岐部１０から連続する１本の凹溝本体１１（凹溝９）の他端が、短辺方向における一方の床暖房パネルＰ１側（図２の右側）端部で長辺方向中央部に形成されている。これらの凹溝９の他端は、両床暖房パネルＰ１，Ｐ２が長辺方向に互いに隣り合った位置に施工された際に、重なる位置に形成されている。
【００４４】
そして、各床暖房パネルＰには、凹溝本体１１と連続し、分岐部１０から長辺方向一端側に向かって短辺方向両側に分岐する２つの選択凹溝１２がそれぞれ形成されている。各選択凹溝１２の他端には平面視矩形状の接続部材収容部１４が形成されている。このように、凹溝９は、凹溝本体１１と、分岐部１０と、選択凹溝１２と、接続部材収容部１４とで構成されている。
【００４５】
上記凹溝９に収容されている温水パイプ１３は、架橋ポリエチレン等からなり内部を所定温度の温水が流れるものであり、その両端には、エルボ等の接続部材１５が取り付けられている。
【００４６】
そして、図２に示すように、上記温水パイプ１３の端部は、選択凹溝１２から分岐部１０まで引きだし可能に構成されている。
【００４７】
一方の床暖房パネルＰ１に形成された２つの選択凹溝１２のうちのいずれか一方に一端部が収容される温水パイプ１３は、分岐部１０を経由して凹溝本体１１内を一方の床暖房パネルＰ１における他端まで延びている。さらに、温水パイプ１３は、他方の床暖房パネルＰ２における凹溝９の他端から凹溝本体１１内を連続して延び、他端部が分岐部１０を介して、他方の床暖房パネルＰ２に形成された２つの選択凹溝１２のうちのいずれか一方に収容されている。温水パイプ１３の両接続部材１５は、各床暖房パネルＰ１，Ｐ２の選択凹溝１２のうち温水パイプ１３が収容されている側の選択凹溝１２の接続部材収容部１４にそれぞれ収容されている。
【００４８】
上記基板１の下面には裏面材１６が接着されていて、この裏面材１６によって凹溝９及び温水パイプ１３が隠蔽されている。この裏面材１６は、アルミニウム薄膜等の金属シート、アルミニウム薄膜を紙で挟んだアルミサンド紙、樹脂含浸紙、樹脂強化したガラスクロスをクラフト紙で挟んだ繊維強化紙、木質薄単板や木質繊維板等、またはこれらの複合物で構成されたシート状物である。この裏面材１６は、少なくとも一層がアルミニウム薄膜等の金属シート層で構成されているため、均熱効果を得ることができる。
【００４９】
そして、上記裏面材１６は、基板１における分岐部１０、選択凹溝１２、接続部材収容部１４及びこれらの周囲を除く部分、具体的には、分岐部１０から基板１の長辺方向で凹溝本体１１が設けられている側の全面には予め接着されている。一方、基板１における分岐部１０、選択凹溝１２、接続部材収容部１４及びこれらの周囲、具体的には、分岐部１０から基板１の長辺方向で選択凹溝１１が設けられている側には、床暖房パネルＰ１を床下地材２３を施工する際に、裏面材１６を後貼りする。選択凹溝１１側に後貼りする裏面材１６は、予め接着されている凹溝本体１１側の裏面材１６と別体のものとしてもよいし、連続する１枚の裏面材１６で構成されていてもよい。１枚の裏面材１６を用いる場合は、分岐部１０よりも選択凹溝１１側に貼着される部分には離型紙を設けておき、床暖房パネルＰを施工する際に、この離型紙を剥がしながら裏面材１６を基板１に接着する。なお、分岐部１０よりも選択凹溝１１側の裏面材１６は、接続部材収容部１４に対応する部分には貼着しないか、後で該部分を切り取
る等して、接続部材１５に床下から往路パイプ２５等を接続する。
【００５０】
なお、凹溝９には、温水パイプ１３や接続部材１５の収容を妨げないように、凹溝９内面に少なくとも金属層を有する溝内均熱シートが設けられていてもよい。この溝内均熱シートと上記裏面材１６とを設けることにより、温水パイプ１３を包むように金属層を有するシートで覆うことになるので、より均等な均熱効果を得て熱効率を向上することができる。
【００５１】
図１に示すように、床暖房パネルＰにおける基板１の周縁部における一方の長辺及び一方の短辺には、断面矩形状の凹条からなる雌実１ａが形成されている。一方、基板１の周縁部における他方の長辺及び他方の短辺には、断面矩形状の凸条からなる雄実１ｂが形成されている。隣接する床暖房パネルＰ１，Ｐ２同士を接合するときには、それらの雌実１ａ及び雄実１ｂを嵌合させることで床暖房パネルＰ１，Ｐ２同士を接合するようになっている。
【００５２】
そして、上記床暖房パネルＰは、図４に示すように、隣接する根太２０間に断熱材２１を根太２０上面と面一となるように架設した後、その根太２０及び断熱材２１の上に木質材からなる捨て貼り材２２を捨て貼りしてなる床下地材２３上に施工を行うようになっている。この床下地材２３には、温水パイプ１３が収容されている側の選択凹溝１２の接続部材収容部１４に対応する箇所に床下まで貫通する貫通孔２４が設けられている。
【００５３】
図示しない温水供給装置から温水を供給する往路パイプ２５と放熱後の温水を温水供給装置に戻す復路パイプ２６とがそれぞれ略垂直に配設されて、上記各接続部材１５に接続されている。これらの接続部材１５によって、水平に配設された温水パイプ１３と垂直に配設された往路パイプ２５及び復路パイプ２６とが接続部材収容部１４において接続されるようになっている。
【００５４】
次に、上記実施形態１の床暖房パネルＰの施工方法について説明する。
【００５５】
まず、温水パイプ１３の一端部を一方の床暖房パネルＰ１の分岐部１０を介していずれか一方の選択凹溝１２に収容し、接続部材収容部１４に接続部材１５を収容する。そして、一方の床暖房パネルＰ１の凹溝本体１１に温水パイプ１３を収容していき、凹溝９の他端まで収容すると、他方の床暖房パネルＰ２の凹溝９の他端からさらに凹溝本体１１に収容していく。他方の床暖房パネルＰ２の分岐部１０まで収容された温水パイプ１３の他端部を他方の床暖房パネルＰ２の選択凹溝１２のいずれか一方に収容する。なお、この温水パイプ１３を凹溝９に収容する順序はこれに限定されない。
【００５６】
上記凹溝９に温水パイプ１３を収容した後、基板１の裏面における分岐部１０よりも凹溝本体１１側に裏面材１６を接着する。
【００５７】
そして、上記床暖房パネルＰ１，Ｐ２を含む複数の床暖房パネルＰを床下地材２３の上に並べて施工する際に、まず、上記温水パイプ１３が収容されている側の選択凹溝１２の接続部材収容部１４に対応する床下地材２３の箇所に貫通孔２４を設ける。
【００５８】
ここで、上記床下地材２３において貫通孔２４を設けようとする箇所が、例えば図４の左側に示すように根太２０が設けられている位置と一致してしまう場合には、床下地材２３に貫通孔２４を設けることができない。そこで、図２の床暖房パネルＰ１に示すように、温水パイプ１３の端部を選択凹溝１２から分岐部１０まで引きだし、図３に示すように、他方の選択凹溝１２に収容し直すことで、接続部材１５を収容する位置を変更し、この接続部材収容部１４に対応する床下地材２３の位置に貫通孔２４を設ける。
【００５９】
そして、適切な接続部材収容部１４に接続部材１５を収容した後、基板１の裏面における分岐部１０よりも選択凹溝１１側に裏面材１６を接着する。その後、床暖房パネルＰ１を床下地材２３に施工する。
【００６０】
上記一方の床暖房パネルＰ１を床下地材２３に施工した後、この一方の床暖房パネルＰ１の長辺方向にずらした位置に他方の床暖房パネルＰ２を施工する。施工の際は、一方の長辺側の雌実１ａに他方の長辺側の雄実１ｂを嵌合させて互いを接合させる。
【００６１】
そして、床下地材２３に設けた各貫通孔２４から復路パイプ２６及び往路パイプ２５を挿入して、接続部材１５に接続することで、温水パイプ１３と往路パイプ２５及び復路パイプ２６とを接続する。
【００６２】
（実施形態１の効果）
したがって、本実施形態１の温水床暖房パネルＰにおいては、温水パイプ１３を収容する凹溝９に分岐部１０から分岐する２つの選択凹溝１２を設け、各選択凹溝１２の端部に接続部材収容部１４を設けたため、接続部材１５が収容されている接続部材収容部１４に対応する床下地材２３の箇所に床下構造材２０が配設されている場合でも、他の選択凹溝１２に温水パイプ１３を収容し直して、接続部材１５を異なる位置の接続部材収容部１４に収容することができるので、床下構造材２０が配設されていない床下地材２３の箇所に貫通孔２４を設けて、接続部材１５に往路パイプ等２５，２６を接続することができる。
【００６３】
そして、床下地材２３に貫通孔２４を設けることができる位置にある接続部材収容部１４を選択可能であるので、床下地材２３に配設されている床下構造材２０の位置によって床暖房パネルＰの設置割付を再検討する等の手間をかけなくても、床暖房パネルＰを容易に施工することができる。
【００６４】
また、接続部材収容部１４が基板１の短辺方向両側部に設けられているため、一側部の接続部材収容部１４に対応する床下地材２３の箇所に床下構造材２０が配設されていても、この接続部材収容部１４と離間した他側部の接続部材収容部１４に接続部材１５を収容することで、床下構造材２０が配設されていない床下地材２３に貫通孔２４を設けることができ、床暖房パネルＰの施工を容易にすることができる。
【００６５】
また、分岐部１０を基板１の長辺方向端部に設けているため、２つの選択凹溝１２のうち、いずれの選択凹溝１２に温水パイプ１３の端部を収容しても、基板１で温水パイプ１３が通らない部分が少ないので、暖房効率の低下を抑制することができる。
【００６６】
また、分岐部１０、選択凹溝１２、接続部材収容部１４及びこれらの周囲には予め裏面材１６が設けられていないので、選択凹溝１２から温水パイプ１３を引きだして床下構造材２０が配設されていない接続部材収容部１４に接続部材１５を収容し直すことができる。そして、適切な位置に温水パイプ１３及び接続部材１５を収容した後に、分岐部１０、選択凹溝１２、接続部材収容部１４及びこれらの周囲に裏面材１６を取り付けることで、基板１全面が裏面材１６で覆われることになり、この裏面材１６が金属層を有するため、基板１全面に亘って温水パイプ１３の熱が均熱され、熱効率がよく、熱欠損部分の少ない温水床暖房パネルＰを提供することができる。
【００６７】
《発明の実施形態２》
次に、図５〜図７に示す、本発明の実施形態２に係る床暖房パネルＰについて、詳細に説明する。
【００６８】
なお、図１〜図４と同じ構成要素については同じ符号を付し、実施形態１と同じ部分については、その詳細な説明は省略する。
【００６９】
すなわち、本発明の実施形態２に係る床暖房パネルＰは、凹溝が８の字状の選択凹溝３０を備えている点で上記実施形態１に係る床暖房パネルＰと異なる。
【００７０】
具体的には、上記選択凹溝３０は、平面視で２つのループ溝３２ａ，３２ｂ同士を互いに接するように連結した８の字状に形成され、両ループ溝３２ａ，３２ｂの連結部３１が他の部分よりも幅広に形成されていて、その８の字の上下方向が基板１の短辺方向と同じ方向（図５の左右方向）となるように形成されている。
【００７１】
また、各床暖房パネルＰの長辺方向一端部近傍（図５の上側）で短辺方向中央部に設けられた分岐部１０と、上記選択凹溝３０の連結部３１とが接続されている。選択凹溝３０には、分岐部１０を介して温水パイプ１３の端部が収容される。温水パイプ１３の端部は、図５に示すように、選択凹溝３０から分岐部１０まで引きだし可能に構成されている。
【００７２】
そして、上記選択凹溝３０には、上記分岐部１０を始点としかつ選択凹溝３０に沿って分岐部１０からの距離が一定で途中で交差しない４つの経路を設定したときに、該経路の終点となる４箇所に接続部材収容部１４が設けられている。温水パイプ１３の接続部材１５が設けられている側の端部は、分岐部１０を介して選択凹溝３０に上記経路のいずれか１つに沿うように収容される。
【００７３】
具体的には、選択凹溝３０の一方のループ溝３２ａ（左側）において、連結部３１と図５における選択凹溝３０左端との中間部であって、凹溝本体１１側（図５の下側）に第１収容部１４ａが設けられ、連結部３１と選択凹溝３０左端との中間部であって、凹溝本体１１と離間する側（図５の上側）に第２収容部１４ｂが設けられている。一方、選択凹溝３０の他方のループ溝３２ｂにおいて、連結部３１と図５における選択凹溝３０右端との中間部であって、凹溝本体１１と離間する側に第３収容部１４ｃが設けられ、連結部３１と選択凹溝３０右端との中間部であって、凹溝本体１１側に第４収容部１４ｄが設けられている。
【００７４】
そして、図５の一方の床暖房パネルＰ１に示すように、第２収容部１４ｂに温水パイプ１３の端部に設けられた接続部材１５を収容する際には、温水パイプ１３は、分岐部１０から折り返されるようにして第４収容部１４ｄ側に延び、第３収容部１４ｃを経て連結部３１を通り、第１収容部１４ａを通って端部が第２収容部１４ｂに到達する第２経路に沿って収容され、接続部材１５が第２収容部１４ｂに収容される。
【００７５】
また、図６（ａ）に示すように、第１収容部１４ａに接続部材１５を収容する際には、温水パイプ１３は、分岐部１０から折り返されるようにして第４収容部１４ｄ側に延び、第３収容部１４ｃから第２収容部１４ｂを通り、端部が第１収容部１４ａに到達する第１経路に沿って収容され、接続部材１５が第１収容部１４ａに収容される。
【００７６】
また、図６（ｂ）に示すように、第３収容部１４ｃに接続部材１５を収容する際には、温水パイプ１３は、分岐部１０から折り返されるようにして第１収容部１４ａ側に延び、第２収容部１４ｂを経て連結部３１を通り、第４収容部１４ｄを通って端部が第３収容部１４ｃに到達する第３経路に沿って収容され、接続部材１５が第３収容部１４ｃに収容される。
【００７７】
そして、図６（ｃ）に示すように、第４収容部１４ｄに接続部材１５を収容する際には、温水パイプ１３は、分岐部１０から折り返されるようにして第１収容部１４ａ側に延び、第２収容部１４ｂから第３収容部１４ｃを通り、端部が第４収容部１４ｄに到達する第４経路に沿って収容され、接続部材１５が第４収容部１４ｄに収容される。
【００７８】
上記選択凹溝３０の連結部３１は、他の部分よりも溝幅が大きく形成されているので、温水パイプ１３を折り返すように収容する際の折り曲がり半径を大きくすることができ、温水パイプ１３の損傷を抑制することができる。
【００７９】
なお、本実施形態２の床暖房パネルＰにおいても、上記実施形態１と同様に、基板１の裏面における分岐部１０よりも凹溝本体１１側には予め裏面材１６が接着されている一方、分岐部１０よりも選択凹溝１１側には、床暖房パネルＰを施工する際に裏面材１６を後貼りするようになっている。
【００８０】
上記実施形態２の床暖房パネルＰを施工する際には、予め選択凹溝３０に温水パイプ１３の端部を上記いずれかの経路に収容し、その経路に対応する接続部材収容部１４に接続部材１５を収容しておく。
【００８１】
接続部材１５が収容された接続部材収容部１４に対応する床下地材２３の箇所に貫通孔２４を形成しようとするとき、その床下地材２３の箇所に根太２０等の床下構造材が配設されている場合には、図５の床暖房パネルＰ２で示すように、温水パイプ１３の端部を選択凹溝３０から分岐部１０まで引き出す。そして、床下構造材が配設されていない床下地材２３に対応する箇所にある接続部材収容部１４を選び、その接続部材収容部１４に接続部材１５が収容される経路で温水パイプ１３を選択凹溝３０に収容し直す。
【００８２】
そして、上記接続部材１５が収容されている接続部材収容部１４に対応する床下地材２３の箇所に貫通孔２４を形成し、床暖房パネルＰを床下地材２３上に施工して、接続部材１５に往路パイプ２５または復路パイプ２６を接続する。
【００８３】
（実施形態２の効果）
本実施形態２の温水床暖房パネルＰによれば、温水パイプ１３を収容する凹溝９に分岐部１０から連続する選択凹溝３０を設け、この選択凹溝３０に４つの接続部材収容部１４ａ〜１４ｄを設けた。このため、接続部材１５が収容されている接続部材収容部１４に対応する床下地材２３の箇所に床下構造材２０が配設されている場合でも、選択凹溝３０における温水パイプ１３の端部の経路を変更して収容し直し、接続部材１５を異なる位置の接続部材収容部１４に収容することができるので、床下構造材２０が配設されていない床下地材２３の箇所に貫通孔２４を設けて、接続部材１５に往路パイプ等２５，２６を接続することができる。
【００８４】
すなわち、床下地材２３に貫通孔２４を設けることができる位置にある接続部材収容部１４を選択可能であるので、床下地材２３に配設されている床下構造材２０の位置によって床暖房パネルＰの設置割付を再検討する等の手間をかけなくても、床暖房パネルＰを容易に施工することができる。
【００８５】
また、選択凹溝３０に接続部材収容部１４を４つ設けたので、種々の床下構造材２０の配置に対して対応しやすく、床下構造材２０が配設されていない床下地材２３の箇所に対応する接続部材収容部１４の選択を確実に可能とすることができる。
【００８６】
また、温水パイプ１３の端部を８の字状の選択凹溝３０に各経路に沿って収容するので、いずれの接続部材収容部１４に接続部材１５を収容しても、基板１で温水パイプ１３が通らない部分が少ないので、暖房効率の低下を抑制することができる。
【００８７】
また、接続部材収容部１４が基板１の短辺方向に離間した位置と、長辺方向に離間した位置との４箇所に設けられているため、基板１の短辺方向または長辺方向に延びる床下構造材２０が配設されていても、いずれかの接続部材収容部１４に接続部材１５を収容して、床下構造材２０が配設されていない床下地材２３に貫通孔２４を設けることができ、床暖房パネルＰの施工をより一層容易にすることができる。
【００８８】
また、分岐部１０、選択凹溝１２、接続部材収容部１４及びこれらの周囲には予め裏面材１６が設けられていないので、選択凹溝１２から温水パイプ１３を引きだして床下構造材２０が配設されていない接続部材収容部１４に接続部材１５を収容し直すことができる。そして、適切な位置に温水パイプ１３及び接続部材１５を収容した後に、分岐部１０、選択凹溝１２、接続部材収容部１４及びこれらの周囲に裏面材１６を取り付けることで、基板１全面が裏面材１６で覆われることになり、この裏面材１６が金属層を有するため、基板１全面に亘って温水パイプ１３の熱が均熱され、熱効率がよく、熱欠損部分の少ない温水床暖房パネルＰを提供することができる。
【００８９】
（その他の実施形態）
なお、上述の実施形態は、本発明の例示であって、本発明はこの例に限定されるものではない。例えば、以下のような構成としてもよい。
【００９０】
すなわち、上記各実施形態では、床暖房パネルＰを床下地材２３上に施工した後、接続部材１５に往路パイプ２５等を接続するようにしたが、図７に示すように、接続部材１５に予め床下配管３５を接続しておいてもよい。
【００９１】
また、上記各実施形態では、分岐部１０を凹溝本体１１の一端にのみ設けたが、分岐部１０は各床暖房パネルＰ１における凹溝本体１１の両端に設けてもよい。
【００９２】
また、上記各実施形態では、分岐部１０を基板１の長辺方向端部に設けたが、分岐部１０を設ける位置はこれに限定されず、短辺方向端部に設けてもよい。
【００９３】
また、上記各実施形態では、床暖房パネルＰ１，Ｐ２同士を長辺端部で付き合わせて接合したが、床暖房パネルＰ１，Ｐ２同士を短辺端部で付き合わせて接合してもよい。
【００９４】
また、上記各実施形態では、２枚の床暖房パネルＰ１，Ｐ２を１本の温水パイプ１３で連結してなるものとしたが、３枚以上の床暖房パネルを１本の温水パイプ１３で連結するようにしてもよい。この場合、温水パイプ１３の端部が収容される床暖房パネルに、本発明に係る床暖房パネルＰを適用すればよい。
【００９５】
また、上記各実施形態では、裏面材１６を後貼りする際に、接続部材収容部１４には裏面材１６を貼着しないものとしたが、接続部材１５が収容されていない接続部材収容部１４や、接続部材収容部１４が隣り合う床暖房パネルＰの温水パイプ１３を接続する場合には、裏面材１６で覆うものとしてもよい。このことにより、裏面材１６で覆われる部分が増えるので熱効率を向上させることができる。
【００９６】
また、上記実施形態１では、選択凹溝１２を２つ設けたが、３つ以上設けてもよい。
【００９７】
また、上記実施形態１では、分岐部１０は、基板１の短辺方向中央部に設けたが、必ずしも中央部に設けなくてもよい。例えば、分岐部１０を基板１の短辺方向一端部に設け、複数の選択凹溝を基板１の短辺方向他端部に向かって延びるように設けてもよい。
【産業上の利用可能性】
【００９８】
以上説明したように、本発明は、温水床暖房パネルに関し、特に、温水パイプの端部を収容する凹溝の構造に係るものについて有用である。
【図面の簡単な説明】
【００９９】
【図１】本発明の実施形態１に係る床暖房パネルを示す図２のＩ−Ｉ線断面図である。
【図２】実施形態１に係る床暖房パネルを裏側から見た平面図である。
【図３】実施形態１に係る床暖房パネルを裏側から見た平面図であって、他方の選択凹溝に温水パイプを収容した場合を示す。
【図４】床暖房パネルを施工した状態を示す図２のIV−IV線断面相当図である。
【図５】実施形態２に係る床暖房パネルを裏側から見た平面図である。
【図６】実施形態２に係る床暖房パネルを裏側から見た平面図であって、（ａ）は、第１経路に沿って温水パイプが収容されている場合を示し、（ｂ）は、第３経路に沿って温水パイプが収容されている場合を示し、（ｃ）は、第４経路に沿って温水パイプが収容されている場合を示す。
【図７】その他の実施形態を示す床暖房パネルを裏側から見た平面図である。
【符号の説明】
【０１００】
１      基板
９      凹溝
１０    分岐部
１１    凹溝本体
１２    選択凹溝
１３    温水パイプ
１４    接続部材収容部
１４ａ  第１収容部（接続部材収容部）
１４ｂ  第２収容部（接続部材収容部）
１４ｃ  第３収容部（接続部材収容部）
１４ｄ  第４収容部（接続部材収容部）
１５    接続部材
１６    裏面材
３０    選択凹溝
３１    連結部  
３２ａ  一方のループ溝（ループ溝）
３２ｂ  他方のループ溝（ループ溝）
【図１】
0005178289.tif 000002
【図２】
0005178289.tif 000003
【図３】
0005178289.tif 000004
【図４】
0005178289.tif 000005
【図５】
0005178289.tif 000006
【図６】
0005178289.tif 000007
【図７】
0005178289.tif 000008